(57)【要約】      （修正有）【課題】ブラシヘッドとブラシ柄が堅固に結合され、より弾性があって彎曲しやすく、容易に使用者の口腔奥深くの歯間をクリーニングすることが出来る嵌め込み型歯間ブラシの提供。【解決手段】ブラシヘッド５は、金属線５１をスリーブ４の結合孔４３に通し、並びにその金属線５１の端部５３を折り曲げてスリーブ４の第二端４２の端面に固定する。次に、そのスリーブ４の第二端４２を開口３３からブラシ柄本体３に入れ、並びにスリーブ４のヘッド部４５及び軸管４４をそれぞれブラシ柄本体３に入れ、並びにスリーブ４のヘッド部４５及び軸管４４をそれそれブラシ柄本体３の結合溝３５及び軸孔３４に結合させる。最後はそれらの部材を型の中に入れ、射出成型設備によって覆いプラスチック６をブラシ柄本体３及びスリーブ４の結合部分に詰め込み、及びブラシ柄本体３及びスリーブ４の凹部３６及び凹頸部４６に詰め込む。【選択図】図６
0003118045.tif 000002
【実用新案登録請求の範囲】
【請求項１】
嵌め込み型歯間ブラシにおいて、
ブラシ柄本体であって、それの長手方向に第一端及び第二端がある上記ブラシ柄本体、  スリーブであって、それの長手方向に第一端及び第二端があり、その第二端はブラシ柄本体の第一端に結合し、かつそのスリーブの中央には第一端から第二端に貫通する結合孔が設けられている、上記スリーブ、
ブラシヘッドであって、それは金属線をもって多数束のブラシ毛に巻き付けられ、その金属線はスリーブの結合孔を貫き通った後、折り曲げられてスリーブの第二端の端面に固定される、上記ブラシヘッド、
覆いプラスチックであって、それはブラシ柄本体及びブラシヘッドの結合部を覆い被せて結合し、並びに一部のブラシ柄本体及び一部のスリーブを覆い被せる、上記覆いプラスチック、
を包含したことを特徴とする、嵌め込み型歯間ブラシ。
【請求項２】
請求項１記載の嵌め込み型歯間ブラシにおいて、そのうち、そのブラシ柄本体の第一端には開口が設けられ、その開口内には軸孔及びその軸孔に連接される結合溝が設けられ、そのスリーブには軸管及び一端のヘッド部が軸管に連接されてスリーブに位置する第二端があり、そのスリーブの第二端はその開口からブラシ柄本体に入れられ、並びにそのヘッド部及び軸管をそれぞれ結合溝及び軸孔に結合することを特徴とする、嵌め込み型歯間ブラシ。
【請求項３】
請求項１記載の嵌め込み型歯間ブラシにおいて、そのうち、そのブラシ柄本体の外周には複数の凹部が設けられ、かつそのスリーブの軸管外周にも最少一つの凹頸部が設けられ、その覆いプラスチックはそのブラシ柄本体及びそのスリーブの結合部分を覆い詰め込み、並びにそれら凹部及び凹頸部を覆い詰め込んでそのブラシ柄本体及びスリーブを覆い被せ結合することを特徴とする、嵌め込み型歯間ブラシ。
【請求項４】
請求項３記載の嵌め込み型歯間ブラシにおいて、そのうち、そのブラシ柄本体の一部はその覆いプラスチックの表面から突き出し、それによって滑り止め作用のある突起部が形成されることを特徴とする、嵌め込み型歯間ブラシ。
【請求項５】
請求項３記載の嵌め込み型歯間ブラシにおいて、そのうち、その覆いプラスチックの一部はそのブラシ柄本体の表面から突き出し、それによって滑り止め作用のある突起部が形成されることを特徴とする、嵌め込み型歯間ブラシ。
【考案の詳細な説明】
【技術分野】
【０００１】
本考案は嵌め込み型歯間ブラシの構造に関するもので、特にそのブラシヘッドの結合が堅固で、より弾性がある、口腔の奥に入れて歯間をクリーニングすることができる嵌め込み型歯間ブラシの構造に関するものである。
【背景技術】
【０００２】
一般の歯ブラシはブラシ柄の一面に複数束のブラシ毛が植え付けられてある。歯磨き時はブラシ毛を歯の正面または内面に接触させるので、クリーニングできるのは歯の正面または内面の大部分である。ところが、一般にものを食べると、食べ物のかすまたはくず等汚れは隣接する歯の間の隙間（すなわち歯間隙間）にたまりやすい。それら歯間隙間は隣接する歯の側面に位置し、かつ空間が狭く、上述一般の歯ブラシは体積が大きく、歯間隙間の汚れを清掃することができないので、常に歯の衛生保健上の死角になっている。また、使用者が歯型矯正器を付けて歯の矯正を行っている場合、その歯型矯正器の支えフレームと使用者の歯の間にも多くの隙間が形成して汚れがたまりやすく、一般の歯ブラシもその隙間にたまった汚れを有効にクリーニングすることができない。
【０００３】
このことに鑑み、ある業者は歯間ブラシを設計提供し、それは縦方向の錐状ブラシ毛に作られ、縦方向の往復運動をもって歯間隙間または細い隙間の空間内の汚れのクリーニングに用いられる。
【０００４】
第１図及び第２図に示すのは従来の歯間ブラシの側面図及び断面図である。それら図面に示す如く、一般の歯間ブラシＡはブラシヘッド１及びブラシ柄２が含まれる。そのブラシ柄２には柄部２１及び柄部２１の前端に接続されてある頸部２２があり、かつ外径は明らかに小さい。その頸部２２の中心にはブラシ柄２の長手方向に沿って延伸する結合孔２３が設けられてある。ブラシヘッド１はスチールワイヤのような極細い金属線１１をもって複数束のブラシ毛１２に巻き付けられ、それらブラシ毛１２は錐状の形態に現れ、その金属線１１の端部は縦方向にブラシ柄２の結合孔２３に取り付けられている。このように、そのブラシ柄２をブラシヘッド１の支持とし、そのブラシ柄２を持ち、ブラシヘッド１を歯間隙間または細い隙間内に入れて往復に動かせば、ブラシヘッド１のブラシ毛１２をもって歯間または細い隙間内にたまったの汚れをクリーニングすることができる。
【０００５】
ところが、上述従来の歯間ブラシＡは使用時に次のような欠点がある、
（一）そのブラシヘッド１は金属線を縦方向にブラシ柄２の結合孔２３に取り付けただけで、それには横方向の結合嵌め付け作用がなく、そのブラシヘッド１を歯間隙間または細い隙間内に入れて往復に動かして使用した場合、それら歯間隙間または細い隙間の空間が極めて狭いので、たまにはブラシヘッド１の金属線１１を挟み付けるという現象が発生し、その挟み付ける力がブラシヘッド１とブラシ柄２の結合力より大きい場合、ブラシヘッド１とブラシ柄２の間に横方向の結合嵌め付け構造がないので、ブラシヘッド１がブラシ柄２から脱落して歯間に挟まる現象が起こり、使用者の極めて大きな不便になってしまう。
（二）ブラシ柄２は一般に工程プラスチックをもって直接製造成型され、それは硬度が高く、そのブラシ柄２の前端は極力外径の小さい頸部２２に作られているが、依然理想な弾性があって彎曲しにくいものを提供することができなく、口腔の奥深い歯間をクリーニングすることができないので、歯の保健の死角になっている。
【考案の開示】
【考案が解決しようとする課題】
【０００６】
本考案の主な目的はブラシヘッドとブラシ柄が堅固に結合され、ブラシヘッドが随意に脱落する恐れのない嵌め込み型歯間ブラシの提供である。
【０００７】
本考案のもう一つの目的はブラシヘッドにはより弾性があって彎曲しやすく、容易に使用者の口腔奥深くの歯間をクリーニングすることができる嵌め込み型歯間ブラシの提供である。
【０００８】
上述目的を達成するため、本考案の嵌め込み型歯間ブラシはブラシ柄本体、スリーブ、ブラシヘッド、及び覆いプラスチックを含む。そのスリーブはブラシ柄本体の一端に結合され、かつそのスリーブにはそれの長手方向に沿って貫通する結合孔が設けられてある。そのブラシヘッドは金属線をもって多数束のブラシ毛が巻き付けられ、かつその金属線の端部はスリーブの結合孔を貫き通った後、折り曲げられてスリーブ端部の端面に固定される。その覆いプラスチックはブラシ柄本体及びブラシヘッドの結合部を覆い被せて結合し、並びに一部のブラシ柄本体及び一部のスリーブを覆い被せる。これにより、そのブラシヘッドは軸方向及び横方向にスリーブ及びブラシ柄本体と結合し、脱落する恐れがなくなる。なおかつ、覆いプラスチックをもってブラシ頸部の一部を形成し、それにはよい彎曲弾性があるので、使用者の口腔奥深くの歯間への進入に供され、よいクリーニング効果を得ることができる。
【課題を解決するための手段】
【０００９】
請求項１の考案は、嵌め込み型歯間ブラシにおいて、
ブラシ柄本体であって、それの長手方向に第一端及び第二端がある上記ブラシ柄本体、  スリーブであって、それの長手方向に第一端及び第二端があり、その第二端はブラシ柄本体の第一端に結合し、かつそのスリーブの中央には第一端から第二端に貫通する結合孔が設けられている、上記スリーブ、
ブラシヘッドであって、それは金属線をもって多数束のブラシ毛に巻き付けられ、その金属線はスリーブの結合孔を貫き通った後、折り曲げられてスリーブの第二端の端面に固定される、上記ブラシヘッド、
覆いプラスチックであって、それはブラシ柄本体及びブラシヘッドの結合部を覆い被せて結合し、並びに一部のブラシ柄本体及び一部のスリーブを覆い被せる、上記覆いプラスチック、
を包含したことを特徴とする、嵌め込み型歯間ブラシとしている。
請求項２の考案は、請求項１記載の嵌め込み型歯間ブラシにおいて、そのうち、そのブラシ柄本体の第一端には開口が設けられ、その開口内には軸孔及びその軸孔に連接される結合溝が設けられ、そのスリーブには軸管及び一端のヘッド部が軸管に連接されてスリーブに位置する第二端があり、そのスリーブの第二端はその開口からブラシ柄本体に入れられ、並びにそのヘッド部及び軸管をそれぞれ結合溝及び軸孔に結合することを特徴とする、嵌め込み型歯間ブラシとしている。
請求項３の考案は、請求項１記載の嵌め込み型歯間ブラシにおいて、そのうち、そのブラシ柄本体の外周には複数の凹部が設けられ、かつそのスリーブの軸管外周にも最少一つの凹頸部が設けられ、その覆いプラスチックはそのブラシ柄本体及びそのスリーブの結合部分を覆い詰め込み、並びにそれら凹部及び凹頸部を覆い詰め込んでそのブラシ柄本体及びスリーブを覆い被せ結合することを特徴とする、嵌め込み型歯間ブラシとしている。
請求項４の考案は、請求項３記載の嵌め込み型歯間ブラシにおいて、そのうち、そのブラシ柄本体の一部はその覆いプラスチックの表面から突き出し、それによって滑り止め作用のある突起部が形成されることを特徴とする、嵌め込み型歯間ブラシとしている。
請求項５の考案は、請求項３記載の嵌め込み型歯間ブラシにおいて、そのうち、その覆いプラスチックの一部はそのブラシ柄本体の表面から突き出し、それによって滑り止め作用のある突起部が形成されることを特徴とする、嵌め込み型歯間ブラシとしている。
【考案の効果】
【００１０】
本考案の嵌め込み型歯間ブラシはブラシ柄本体、スリーブ、ブラシヘッド、及び覆いプラスチックを含む。そのスリーブはブラシ柄本体の一端に結合され、かつそのスリーブにはそれの長手方向に沿って貫通する結合孔が設けられてある。そのブラシヘッドは金属線をもって多数束のブラシ毛が巻き付けられ、かつその金属線の端部はスリーブの結合孔を貫き通った後、折り曲げられてスリーブ端部の端面に固定される。その覆いプラスチックはブラシ柄本体及びブラシヘッドの結合部を覆い被せて結合し、並びに一部のブラシ柄本体及び一部のスリーブを覆い被せる。これにより、そのブラシヘッドは軸方向及び横方向にスリーブ及びブラシ柄本体と結合し、脱落する恐れがなくなる。なおかつ、覆いプラスチックをもってブラシ頸部の一部を形成し、それにはよい彎曲弾性があるので、使用者の口腔奥深くの歯間の進入に供され、よいクリーニング効果を得ることができる。
【考案を実施するための最良の形態】
【００１１】
第３図は覆いプラスチックを示していない状況の本考案嵌め込み型歯間ブラシの分解図であり、第４図は第３図に示す嵌め込み型歯間ブラシの組み合わせ図であり、第５図は本考案嵌め込み型歯間ブラシの全体組み合わせ外観図であり、第６図は第５図に示す嵌め込み型歯間ブラシの断面図である。
【００１２】
図面に示す如く、本考案の嵌め込み型歯間ブラシＢはブラシ柄本体３、スリーブ４、ブラシヘッド５、及び覆いプラスチック６を含む。
【００１３】
上述ブラシ柄本体３はそれの長手方向によって第一端３１及び第二端３２がある。その第一端３１はスリーブ４の一端との結合に供される。
【００１４】
上述スリーブ４はそれの長手方向によって第一端４１及び第二端４２があり、その第二端４２はブラシ柄本体３の第一端３１に結合し、かつそのスリーブ４の中央には第一端４１から第二端４２に貫通する結合孔４３が設けられてある。
【００１５】
そのスリーブ４とブラシ柄本体３間の結合について、その結合構造の実施例では、そのブラシ柄本体３の第一端３１に開口３３が設けられ、その開口内には軸孔３４及びその軸孔に連接される結合溝３５が設けられてある。そのスリーブ４には軸管４４及びヘッド部４５が軸管に連接されてスリーブ４に位置する第二端４２がある。そのスリーブ４の第二端４２はその開口３３からブラシ柄本体３に入れられ、並びにそのスリーブ４のヘッド部４５及び軸管４４をそれぞれブラシ柄本体３の結合溝３５及び軸孔３４に結合する。
【００１６】
上述ブラシヘッド５は従来のものと同じく、それは金属線５１をもって複数束のブラシ毛５２に巻き付けられるが、その金属線５１の端部５３はスリーブ４の結合孔４３を貫き通った後、折り曲げられてスリーブ４の第二端４２の端面に固定され、そのためにブラシヘッド５とスリーブ４の間には軸方向の貫通する結合力があるだけでなく、同時に横方向の嵌め付け結合力があるようになる。
【００１７】
上述ブラシ柄本体３の外周には複数の凹部３６が設けられ、かつそのスリーブ４の軸管４４外周にも最少一つの凹頸部４６が設けられ、上述覆いプラスチック６はブラシ柄本体３及びスリーブ４の結合部分を覆い詰め込むほか、同時にそれら凹部３６及び凹頸部４６を覆い詰め込んでそのブラシ柄本体３及びスリーブ４を覆い被せ結合する。その覆いプラスチック６を覆うスリーブ４部分は同時に全体の歯間ブラシのブラシ頸部に形成される。
【００１８】
また、上述ブラシ柄本体３の一部はその覆いプラスチック６の表面から突き出して突起部３７が形成され、それを握って使用するとそれら突起部３７には滑り止めの作用がある。または覆いプラスチック６の一部をそのブラシ柄本体３の表面から突き出すように設計し、同じく滑り止め作用のある突起部が形成される。
【００１９】
本考案嵌め込み型歯間ブラシの組み合わせ及び製作法は次の方法が採用される。先ず、ブラシヘッド５は金属線５１をスリーブ４の結合孔４３に通し、並びにその金属線５１の端部５３を折り曲げてスリーブ４の第二端４２の端面に固定する。次に、そのスリーブ４の第二端４２を開口３３からブラシ柄本体３に入れ、並びにスリーブ４のヘッド部４５及び軸管４４をそれぞれブラシ柄本体３の結合溝３５及び軸孔３４に結合させる。最後はそれら部材を型の中に入れ、射出成型設備によって覆いプラスチック６をブラシ柄本体３及びスリーブ４の結合部分に詰め込み、及びブラシ柄本体３及びスリーブ４の凹部３６及び凹頸部４６に詰め込む。
【００２０】
本考案の嵌め込み型歯間ブラシを使用する場合は従来のものと同じく、それは手でブラシ柄本体３及び覆いプラスチック６を持ち、ブラシヘッド５を歯間隙間または細い隙間に入れて往復に動かし、そのブラシヘッド５のブラシ毛５２をもって歯間隙間または細い隙間にたまっている汚れをクリーニングする。本考案の嵌め込み型歯間ブラシの構造により、そのブラシヘッド５は軸方向及び横方向にスリーブ４及びブラシ柄本体３と結合しているので、ブラシヘッド５は歯間隙間に挟まれて脱落する恐れがない。また、本考案の嵌め込み型歯間ブラシは覆いプラスチックをもってブラシ頸部の一部を形成し、それには良好な彎曲弾性があるので、口腔奥深くの歯間の進入に供され、よいクリーニング効果を得ることができる。
【図面の簡単な説明】
【００２１】
【図１】従来の歯間ブラシの側面図である。
【図２】第１図に示すの歯間ブラシの断面図である。
【図３】覆いプラスチックを示していない状況の本考案嵌め込み型歯間ブラシの分解図である。
【図４】第３図に示す嵌め込み型歯間ブラシの組み合わせ図である。
【図５】本考案嵌め込み型歯間ブラシの全体組み合わせ外観図である。
【図６】第５図に示す嵌め込み型歯間ブラシの断面図である。
【符号の説明】
【００２２】
１  ブラシヘッド
１１  金属線          １２  ブラシ毛
２  ブラシ柄
２１  柄部            ２２  頸部        ２３  結合孔
３  ブラシ柄本体
３１  第一端          ３２  第二端      ３３  開口
３４  軸孔            ３５  結合溝      ３６  凹部
３７  突起部
４  スリーブ
４１  第一端          ４２  第二端      ４３  結合孔
４４  軸管            ４５  ヘッド部    ４６  凹頸部
５  ブラシヘッド
５１  金属線          ５２  ブラシ毛    ５３  端部
６  覆いプラスチック
【図１】
0003118045.tif 000003
【図２】
0003118045.tif 000004
【図３】
0003118045.tif 000005
【図４】
0003118045.tif 000006
【図５】
0003118045.tif 000007
【図６】
0003118045.tif 000008